(57)【要約】  受け止め手段（９）を有するリング（６）の形状をしたプレクトラム保持具及びプレクトラムである。リングは使用者の人差指に配置されて、リングの外周縁に位置する平坦表面（８）に当接してプレクトラムを保持するように具体化される。
2007506993.tif 000002
【特許請求の範囲】
【請求項１】
プレクトラム保持具及びプレクトラムであって、
プレクトラム保持具は、使用者の人差指に配置されるように設計されたリング（３；６）の形状であり、リング（３；６）は、その外表面に当接してプレクトラム（１）を保持するように設計された固定手段（２，５；８，９）を有することを特徴とするプレクトラム保持具及びプレクトラム。
【請求項２】
固定手段は平坦な磁性表面（５）を有し、平坦な磁性表面（５）に当接してプレクトラム（１）が配置されて、プレクトラム（１）自体は、リング（３）の磁性表面（５）と協働するように設計された少なくとも１つの導電部（２）を有することを特徴とする請求項１に記載のプレクトラム保持具。
【請求項３】
プレクトラムの導電部（２）は金属板であることを特徴とする請求項２に記載のプレクトラム保持具。
【請求項４】
金属板（２）は、所定位置の磁性表面（５）に配置されるように設計された細長い形状部を有することを特徴とする請求項３に記載のプレクトラム保持具。
【請求項５】
固定手段は、平坦表面（８）と、プレクトラムを平坦表面（８）に当接させて押し付けて保持するように設計されたスプリングタブ（９）とを有することを特徴とする請求項１に記載のプレクトラム保持具。
【請求項６】
リングは平坦表面（８）に対向する開口（７）を有し、リングはその固定手段を備える前記表面（８）と、使用者の人差指を掴む２つの可撓性アーム（１１，１２）とから構成されることを特徴とする請求項１に記載のプレクトラム保持具。
【請求項７】
プレクトラムは導電材料から製造されることを特徴とする請求項２に記載のプレクトラム保持具。
【発明の詳細な説明】
【技術分野】
【０００１】
本発明の対象はプレクトラム保持具及びプレクトラムである。
【背景技術】
【０００２】
ギター又はベースを使用する演奏家は、自分の指により、又はプレクトラムすなわち仲介物により、自分の楽器の弦を振動させる。プレクトラムすなわち仲介物とは、使用者の親指と人差指との間に保持されるタブのことであり、これにより、指が使用されて楽器の弦が振動する際に得られる音とは異なる音を得ることが可能となる。ギターやベースを使用する演奏家は、一時的に自分の指で演奏した後に素早くプレクトラムや仲介物の使用に切り換えること、及びその逆のことを好都合だと思うだろう。
【特許文献１】独国特許発明第３１４５１３号明細書
【特許文献２】米国特許第３４４２１６９号明細書
【特許文献３】欧州特許出願公開第００１６４３９号明細書
【特許文献４】米国特許出願公開第２００２／１７８８９１号明細書
【特許文献５】独国特許出願公開第１０２３１２７１号明細書
【特許文献６】米国特許発明第３７８９７２０号明細書
【特許文献７】米国特許第６１４０５６４号明細書
【特許文献８】独国実用新案第８５０６８９６号明細書
【特許文献９】独国実用新案第２０１１４３１５号明細書
【発明の開示】
【０００３】
本発明の目的は、使用者がプレクトラムを下に置く必要なしに、プレクトラムによる使用から、プレクトラムによらない使用すなわち指による使用に切り換えることを可能にすることにある。一方、使用者が自分の指による使用の後にプレクトラムに戻りたいと望む場合、使用者は自分がプレクトラムを置いた場所を見つけてそれを拾い上げ、親指と人差指の間に戻さなければならない。本発明の目的は、この不都合をなくし、使用者が自分の指の近くにプレクトラムを保持し、即座にそれを拾い上げて戻すことを可能にすることにある。
【０００４】
本発明に係るプレクトラム保持具は、使用者の人差指に配置されるように設計されたリングの形状をしており、リングは、プレクトラムをその外表面に当接させて保持するように設計された固定手段を有する。
【０００５】
固定手段は平坦な磁性表面を有してもよく、プレクトラムがその面に当接して配置され、プレクトラム自体は、磁性表面と協働するように設計された少なくとも１つの導電部を有する。プレクトラムの導電部は金属板から構成されてもよい。
【０００６】
金属板は、所定位置にある磁性表面上に配置されるように設計された細長い形状部を有してもよい。
【０００７】
または、プレクトラム保持具は、平坦表面と、プレクトラムを平坦表面に当接させて押し付けて保持するように設計されたスプリングタブとを有する固定手段を有してもよい。
【０００８】
プレクトラム保持具は閉じたリングの形状であってもよく、また平坦表面に対向した開口を備えるリングの形状であってもよい。この場合、リングは、その固定手段を備える前記表面と、使用者の人差指を掴む２つの可撓性アームとから構成される。
【発明を実施するための最良の形態】
【０００９】
例えば、図１は、本発明の対象であるプレクトラム保持具の２つの実施例を示す。
【００１０】
図面の中で、図１は細長い円盤形状のプレクトラムすなわち仲介物を示す。プレクトラム１は、通常はプラスチックから製造され、図４に示すように、使用者の親指と人差指との間に保持されるように設計される。それはギター又はベースの弦を振動させるために使用される。図１に示されているように、プレクトラム１は、プレクトラムに恒久的に施された細長い導電表面を有する。この導電表面２は、通常は金属板である。明らかなことだが、金属表面２は、プレクトラム１の一部を形成する一体的な導電部によって置き換えられてもよい。または、プレクトラム１が導電材料から製造されてもよい。
【００１１】
図２に示されているプレクトラム保持具３は、リング４の形状であり、その外周に平坦表面を備えている。表面５は、プレクトラム１の金属表面２を引き寄せるように設計された磁性表面である。図面に示されているように、表面２及び５は細長いので、プレクトラムは、リング３の近くに持っていかれると自動的に図５に示される位置に配置される。
【００１２】
プレクトラム保持具の使用は非常に簡単であり、図４及び５に具体的に示されている。これらの図において、プレクトラム保持具は、使用者の親指と人差指との間に保持され、これは図４に示されている。使用者がプレクトラムの使用をもはや望まない場合は、使用者はプレクトラム１を、自分の親指によってプレクトラム保持具３の表面５に当接するように持っていく。この場合、プレクトラムは図５に示される位置に保持され、その後使用者は自分の指によって演奏を続けることができる。使用者が再びプレクトラム１を使用したいと望む場合には、使用者は自分の親指を使ってプレクトラム１を自分の人差指沿いにスライドさせ、それを自分の親指と人差指との間に再び受け取ることができる。
【００１３】
図３の実施例において、プレクトラム保持具６はまた、図２の実施例に非常に類似したリング形状である。プレクトラム保持具６はまた、プレクトラムを保持するように設計された平坦表面８を有する。表面８はスプリングタブ９によって部分的に覆われており、スプリングタブ９は、プレクトラム１が表面８とタブ９との間に挿入された後に保持されるように設計されている。プレクトラム６は、図２のプレクトラムと同様に使用される。自分の親指と人差指との間にプレクトラムを保持している使用者が自分の指によって演奏したいと望む場合、使用者はプレクトラム１を自分に親指によって表面１０に当接するように持っていき、前記プレクトラムがタブ９によって保持される。一方、使用者がプレクトラムを再び受け取りたいと望む場合は、使用者は自分の親指を自分の人差指の第１関節位置まで持っていき、プレクトラム１に圧力を及ぼし、及び自分の親指によってそれを自分の人差指の先まで下ろしていくだけでよい。
【００１４】
図３に示されているリング６は、プレクトラム保持具の、表面８を支える部分に対向する開口部７を有してもよい。この場合、リングは、図３の線１０沿いに断たれ、したがって、平坦表面８を支える中央部分の両側に配置される２つのアーム１１及び１２の形状になる。好ましくは、アーム１１及び１２は所定の可撓性を有して使用者の人差指を掴む。
【００１５】
プレクトラムすなわち仲介物は、図３に係るプレクトラム保持具の実施例で使用される場合は、図１に示されるような導電表面２を有しない。
【図面の簡単な説明】
【００１６】
【図１】プレクトラムすなわち仲介物を示す。
【図２】プレクトラム保持具の第１実施例を示す。
【図３】プレクトラム保持具の第２実施例を示す。
【図４】プレクトラム保持具を自分の人差指に装着し、自分の指にプレクトラムを保持している使用者の手を示す。
【図５】使用者の手を示す。プレクトラムが配置されてプレクトラム保持具により保持されている。
【図１】
2007506993.tif 000003
【図２】
2007506993.tif 000004
【図３】
2007506993.tif 000005
【図４】
2007506993.tif 000006
【図５】
2007506993.tif 000007
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
使用者の人差指に置かれるように設計されたリングの形状をしており、リングはその外表面に当接してプレクトラムを保持するように設計された固定手段を有するプレクトラム保持具及びプレクトラムであって、
固定手段は平坦な磁性表面（５）を有し、平坦な磁性表面（５）に当接してプレクトラム（１）が配置されて、プレクトラム（１）自体は、リング（３）の磁性表面（５）と協働するように設計された少なくとも１つの導電部（２）を有することを特徴とするプレクトラム保持具及びプレクトラム。
【請求項２】
プレクトラムの導電部（２）は金属板であることを特徴とする請求項２に記載のプレクトラム保持具。
【請求項３】
金属板（２）は、所定位置の磁性表面（５）に配置されるように設計された細長い形状部を有することを特徴とする請求項３に記載のプレクトラム保持具。
【請求項４】
プレクトラムは導電材料から製造されることを特徴とする請求項２に記載のプレクトラム保持具。
【国際調査報告】
2007506993.tif 000008
2007506993.tif 000009
2007506993.tif 000010
2007506993.tif 000011
2007506993.tif 000012
2007506993.tif 000013